(57)【要約】【課題】  機体に左右揺動自在に軸支されるスイングポストに、フロント作業部の基端部を上下揺動自在に支持せしめてなるスイング式の油圧ショベルにおいて、照明装置を設けるにあたり、フロント作業部の左右揺動に追随して照射位置も左右に移動する一方、フロント作業部が上下動しても照射位置が上下動しない箇所に取付けて、作業性の向上を図る。【解決手段】  照明装置１３を、スイングポスト６に形成されるブームシリンダ支持部６Ｃの下方、またはスイングシリンダ支持部６Ｄに取付けた。【選択図】  図１
2005113528.tif 000002
【特許請求の範囲】
【請求項１】
機体に左右揺動自在に軸支されるスイングポストに、フロント作業部の基端部を上下揺動自在に支持せしめてなるスイング式の油圧ショベルにおいて、前記スイングポストに照明装置を取付けたことを特徴とする油圧ショベルにおける照明装置。
【請求項２】
請求項１において、スイングポストは、フロント作業部を上下揺動せしめるための作業部用シリンダの一端側を支持する作業部用シリンダ支持部が前方に向けて突出形成される一方、該作業部用シリンダ支持部の下方に照明装置を取付けたことを特徴とする油圧ショベルにおける照明装置。
【請求項３】
請求項１において、スイングポストは、該スイングポストを左右揺動せしめるためのスイングシリンダの一端側を支持するスイングシリンダ支持部が左右外方に向けて突出形成される一方、該スイングシリンダ支持部に照明装置を取付けたことを特徴とする油圧ショベルにおける照明装置。
【請求項４】
請求項１、２、３の何れかにおいて、照明装置に、該照明装置を保護するガード部材を装着したことを特徴とする油圧ショベルにおける照明装置。
【発明の詳細な説明】
【技術分野】
【０００１】
本発明は、作業部をスイングポストを介して機体に左右揺動自在に装着してなるスイング式の油圧ショベルにおける照明装置の技術分野に属するものである。
【背景技術】
【０００２】
一般に、油圧ショベルのなかには、上部旋回体の前部にスイングポストを左右揺動自在に軸支し、該スイングポストに、ブーム、アーム、バケット等からなるフロント作業部の基端部を上下揺動自在に支持せしめた、所謂スイング式のものがある。
ところで、油圧ショベルによる作業や走行を夜間等の暗所で行う場合があり、この様な場合には照明装置が必要となるが、該照明装置は、特に小型の機種においては、設置スペースやコストの問題もあって、最小限の数で作業領域や走行領域を広く照らすことが要求される。このため、前述したスイング式の油圧ショベルでは、従来、作業灯となる照明装置を、ブームの側面部やブームシリンダカバー等のフロント作業部に取付けていた（例えば、特許文献１参照。）。
【特許文献１】特開２００１−６４９９８号公報（図１、図１２）
【発明の開示】
【発明が解決しようとする課題】
【０００３】
前記従来のものは、照明装置がフロント作業部に取付けられているため、フロント作業部の左右揺動に追随して照射位置も左右に移動し、これによりフロント作業部の左右揺動に伴い常にフロント作業部の前方を照射することができるという利点がある。その一方で、フロント作業部の上下動に追随して照射位置も上下動するため、例えば掘削作業をしている場合等に、照射位置が上下に振れて却って作業しずらい場合がある。また、油圧ショベルでドーザ作業を行う場合には、フロント作業部を上動させた状態で行うことになるが、該フロント作業部の上動に伴って照射位置も上方を向くため、ドーザ作業が行われている地表部分を十分に照らすことができないという問題があり、ここに本発明が解決しようとする課題がある。
【課題を解決するための手段】
【０００４】
本発明は、上記の如き実情に鑑みこれらの課題を解決することを目的として創作されたものであって、請求項１の発明は、機体に左右揺動自在に軸支されるスイングポストに、フロント作業部の基端部を上下揺動自在に支持せしめてなるスイング式の油圧ショベルにおいて、前記スイングポストに照明装置を取付けたことを特徴とするものである。
そして、この様にすることにより、照明装置は、スイングポストの左右揺動に追随して左右に移動することになって、常にフロント作業部の前方を照射することができる一方、フロント作業部が上下動しても照明装置は上下動することなく、而して、掘削作業を行うような場合に照射位置が上下に振れてしまうことを回避できる。また、ドーザ作業を行う場合には、フロント作業部を上動させた状態で行うことになるが、該フロント作業部を上動させても照射位置は上動しないため、ドーザ作業が行われている地表部分を十分に照らすことができることになって、作業性が向上する。
請求項２の発明は、請求項１において、スイングポストは、フロント作業部を上下揺動せしめるための作業部用シリンダの一端側を支持する作業部用シリンダ支持部が前方に向けて突出形成される一方、該作業部用シリンダ支持部の下方に照明装置を取付けたことを特徴とするものである。
そして、この様にすることにより、機体前方を、フロント作業部によって光路の一部が遮られたりすることなく広く照射することができる。
請求項３の発明は、請求項１において、スイングポストは、該スイングポストを左右揺動せしめるためのスイングシリンダの一端側を支持するスイングシリンダ支持部が左右外方に向けて突出形成される一方、該スイングシリンダ支持部に照明装置を取付けたことを特徴とするものである。
そして、この様にすることにより、スイングシリンダ支持部を有効利用して照明装置を取り付けることができる。
請求項４の発明は、請求項１、２、３の何れかにおいて、照明装置に、該照明装置を保護するガード部材を装着したことを特徴とするものである。
そして、この様にすることにより、照明装置を、作業中に飛散する土砂や小石等から保護することができる。
【発明を実施するための最良の形態】
【０００５】
次に、本発明の実施の形態について、図面に基づいて説明する。図面において、１はスイング式の油圧ショベルであって、該油圧ショベル１は、クローラ式の下部走行体２、該下部走行体２に旋回自在に支持される上部旋回体３、該上部旋回体３に装着されるフロント作業部４等から構成されており、さらに該フロント作業部４は、上部旋回体３の旋回フレーム５の前部に後述するスイングポスト６を介して左右および上下揺動自在に支持されるブーム７、該ブーム７の先端部に前後揺動自在に支持されるアーム８、該アーム８の先端部に取付けられるバケット９等を備えて構成されている。また、１０は下部走行体２に装着されるドーザであって、該ドーザ１０を用いて押土等のドーザ作業を行えるようになっている。
【０００６】
前記スイングポスト６は、旋回フレーム５の前部に突設されたポスト支持部５ａに鉛直軸（図示せず）を介して左右揺動自在に支持されるポスト本体６Ａ、該ポスト本体６Ａから上方に向けて突出形成されるブーム支持部６Ｂ、ポスト本体６Ａから前方に向けて突出形成されるブームシリンダ支持部６Ｃ、ポスト本体６Ａから右方（油圧ショベルの運転者からみて右方、図２（Ａ）では左方）に向けて突出形成されるスイングシリンダ支持部６Ｄ等を備えて構成される。
【０００７】
前記スイングシリンダ支持部６Ｄは上下の支持片６Ｄａ、６Ｄｂを有しており、該上下の支持片６Ｄａ、６Ｄｂの先端部間には、スイングシリンダ１１のロッド先端部が水平方向揺動自在に軸支されている。該スイングシリンダ１１のシリンダ筒基端部は旋回フレーム５側に支持されており、而して、スイングシリンダ１１の伸縮作動に基づいてスイングポスト６が鉛直軸を軸として左右揺動し、これと一体的にフロント作業部４が左右揺動する構成になっている。
【０００８】
また、ブーム支持部６Ｂは左右の支持片６Ｂａ、６Ｂｂを有しており、該左右の支持片６Ｂａ、６Ｂｂ間に支架される状態で、ブーム７の基端部が上下揺動自在に軸支されている。同様に、ブームシリンダ支持部６Ｃは左右の支持片６Ｃａ、６Ｃｂを有しており、該左右の支持片６Ｃａ、６Ｃｂ間に支架される状態で、ブームシリンダ１２のシリンダ筒基端部が上下揺動自在に軸支されている。該ブームシリンダ１２のロッド先端部はブーム７の下面中間部に支持されており、而して、ブームシリンダ１１の伸縮作動に基づいてブーム７が上下揺動するように構成されている。
【０００９】
さらに、ポスト本体６Ａの前面部には、前記ブームシリンダ支持部６Ｃの下方に位置する部位に、照明装置１３取付用の取付台座１４が前方に向けて突設されている。
【００１０】
前記照明装置１３は、バルブ１３ａが内装された照明本体１３Ａと、該照明本体１３Ａにボルト−ナット１３ｂにより止着される取付ブラケット１３Ｂとから構成される。そして照明装置１３は、取付ブラケット１３Ｂを前記取付台座１４にボルト止め１３ｃすることでスイングポスト６に取付けられるが、この場合に、該照明装置１３の上下方向の照射角度の調整は、照明本体１３Ａを取付ブラケット１３Ｂに止着するボルト−ナット１３ｂを弛めてボルトの軸芯回りに照明本体１３Ａを上下揺動させることにより、簡単に行うことができる。
【００１１】
叙述の如く構成された本形態において、夜間やトンネル内等の暗所で油圧ショベル１の作業を行う場合には、照明装置１３により作業箇所を照らしながら行うことになるが、この場合に、照明装置１３は、上部旋回体２に左右揺動自在に支持されてフロント作業部４を上下揺動自在に支持するスイングポスト６に取り付けられている。
【００１２】
この結果、照明装置１３は、スイングポスト６の左右揺動に追随して左右に移動することになって、常にフロント作業部４の前方を照射することができる一方、フロント作業部４が上下動しても照明装置１３は上下動することなく、而して、例えば掘削作業を行う場合等に照射位置が上下に振れてしまうことを回避できる。また、ドーザ作業を行う場合には、フロント作業部４を上動させた状態で行うことになるが、該フロント作業部４を上動させても照射位置は上動しないため、ドーザ作業が行われている地表部分を十分に照らすことができることになって、作業性が向上する。
【００１３】
さらにこのものにおいて、照明装置１３は、スイングポスト６に形成のブームシリンダ支持部６Ｃの下方に配されているため、機体前方を、フロント作業部４によって光路の一部が遮られたりすることなく広く照射できるという利点がある。
【００１４】
尚、本発明は上記実施の形態に限定されないことは勿論であって、照明装置１３に、該照明装置１３を作業中に飛散する土砂や小石等から保護するためのガード部材（例えば網状のカバー体）を装着するように構成することもできる。
また、照明装置１３のスイングポスト６への取付位置としては、図４、図５に示す第二の形態の如く、スイングシリンダ支持部６Ｄに取付けることもできる。つまり、前述したように、スイングシリンダ支持部６Ｄは、上下の支持片６Ｄａ、６Ｄｂの先端部間にスイングシリンダ１１のロッド先端部が軸支されているが、本実施の形態では、スイングシリンダ支持部６Ｄの基端側は、連結脚部６Ｄｃを介して上下の支持片６Ｄａ、６Ｄｂ同士が繋がった状態になっている。この場合、連結脚部６Ｄｃの基端側は、上下の支持片６Ｄａ、６Ｄｂの前端位置よりも後方に位置しており、而して、スイングシリンダ支持部６Ｄの前面側には、上下の支持片６Ｄａ、６Ｄｂと連結脚部６Ｄｃとにより機体後方側に向けて凹んだ凹部６Ｄｄが形成されており、該凹部６Ｄｄに照明装置１３が取り付けられている。また、図示しないが、スイングシリンダ支持部が基端側から上下の支持片に分割されている形状のものもあり、この場合には、上下の支持片のあいだに照明装置を取り付けることができる。そして、この様に照明装置１３をスイングシリンダ支持部６Ｄに取付けたものであっても、前記第一の実施の形態と同様の作用効果を奏することになるが、さらにこのものでは、照明装置１３がスイングシリンダ支持部６Ｄの前面から殆ど突出しない状態で取付けることができるため、照明装置１３を有効に保護できるという利点がある。
【図面の簡単な説明】
【００１５】
【図１】油圧ショベルの側面図である。
【図２】（Ａ）、（Ｂ）は照明装置の取付け状態を示すスイングポストの正面図、側面図である。
【図３】（Ａ）、（Ｂ）、（Ｃ）は照明装置の正面図、側面図、背面図である。
【図４】（Ａ）、（Ｂ）は第二の実施の形態における照明装置の取付け状態を示すスイングポストの正面図、側面図である。
【図５】第二の実施の形態における照明装置の取付け状態を示すスイングポストの平面図である。
【符号の説明】
【００１６】
４    フロント作業部
６    スイングポスト
６Ｃ  ブームシリンダ支持部
６Ｄ  スイングシリンダ支持部
１３    照明装置
【図１】
2005113528.tif 000003
【図２】
2005113528.tif 000004
【図３】
2005113528.tif 000005
【図４】
2005113528.tif 000006
【図５】
2005113528.tif 000007